(57)【要約】仮想Ｃタグ付き・ユーザ・ネットワーク・インタフェース（ＶＵＮＩ）サービス・インタフェースもしくはヘアピン・スイッチング・サービス・インタフェースを提供する方法及びプロバイダ・エッジ・ブリッジ（９１、１３１）。１つの実施例では、プロバイダ・エッジ・ブリッジ（９１）は、カスタマＶＬＡＮ（Ｃ−ＶＬＡＮ）コンポーネント（９４）と、Ｃ−ＶＬＡＮコンポーネントとメトロ・イーサネット（登録商標）・ネットワーク（ＭＥＮ）（９２）とへ接続された第１のＳ−ＶＬＡＮコンポーネント（９５）と、Ｃ−ＶＬＡＮコンポーネント（９４）と第１のＳ−ＶＬＡＮコンポーネント（９５）と外部ネットワーク・ネットワーク・インタフェース（Ｅ−ＮＮＩ）（９３）とに接続された第２のＳ−ＶＬＡＮコンポーネント（９６）とを備える。他の実施例においては、プロバイダ・エッジ・ブリッジ（１３１）は、Ｃ−ＶＬＡＮコンポーネント（９４）と、Ｃ−ＶＬＡＮコンポーネントとＭＥＮ（９２）とＥ−ＮＮＩ（９３）とに接続された単一のＳ−ＶＬＡＮコンポーネント（１３２）とを備える。両方の実施例において、プロバイダ・エッジ・ブリッジは、Ｓ−ＶＬＡＮマッピング・コンポーネントを利用することなく、ＶＵＮＩサービス・インタフェースもしくはヘアピン・スイッチング・サービス・インタフェースを提供するように構成設定される。
2013511191.tif 000002
【特許請求の範囲】
【請求項１】
プロバイダ・エッジ・ブリッジ（９１）における仮想Ｃタグ付き・ユーザ・ネットワーク・インタフェース（ＶＵＮＩ）サービス・インタフェース、或いは、ヘヤピン・スイッチング・サービス・インタフェースを提供する方法であって、
前記プロバイダ・エッジ・ブリッジは、カスタマ・エッジ・ポート（ＣＥＰ）（１００）と複数プロバイダ・エッジ・ポート（ＰＥＰ）（９９）とを含むカスタマＶＬＡＮ（Ｃ−ＶＬＡＮ）コンポーネント（９４）を含み、さらに、前記Ｃ−ＶＬＡＮコンポーネントとメトロ・イーサネット（登録商標）・ネットワーク（ＭＥＮ）（９２）とに接続される第１のサービス仮想ローカルエリア（Ｓ−ＶＬＡＮ）コンポーネント（９５）を含み、
前記方法は、
前記プロバイダ・エッジ・ブリッジにおいて、前記Ｃ−ＶＬＡＮコンポーネント（９４）と前記第１のＳ−ＶＬＡＮコンポーネント（９５）と外部ネットワーク・ネットワークインタフェース（Ｅ−ＮＮＩ）（９３）とに接続される第２のＳ−ＶＬＡＮコンポーネント（９６）を実装する工程と、
Ｓ−ＶＬＡＮマッピング・コンポーネントを利用することなく、前記ＶＵＮＩサービス・インタフェース或いは前記ヘヤピン・スイッチング・サービス・インタフェースを提供するように、前記第１のＳ−ＶＬＡＮコンポーネント（９５）と前記第２のＳ−ＶＬＡＮコンポーネント（９６）と前記Ｃ−ＶＬＡＮコンポーネント（９４）とを構成設定する工程とを有することを特徴とする方法。
【請求項２】
前記構成設定する工程は、
前記ＶＵＮＩサービス・インタフェースを提供するために前記プロバイダ・エッジ・ブリッジ（９１）を構成設定し、
前記Ｅ−ＮＮＩから離れた場所からカスタマへ前記ＶＵＮＩサービス・インタフェースを提供するために、前記ＭＥＮに面している前記第１のＳ−ＶＬＡＮコンポーネントの複数のポートが前記ＭＥＮにおける内部サービスに接続されている場合に、前記複数のポートを複数のＳ−ＶＬＡＮリモート・カスタマ・ポート（ＲＣＰ）として指定する（１１１）工程と、
複数のＳ−ＶＬＡＮ識別子（Ｓ−ＶＩＤ）からなるセットがＶＵＮＩタイプのリモート・カスタマ・サービス・インタフェース（Ｒ−ＣＳＩ）として扱われるように前記複数のＲＣＰによって構成設定する（１１２）工程と、
前記ＭＥＮにおける前記複数のＳ−ＶＩＤからなるセットを識別するＳ−ＶＩＤテーブルが前記Ｅ−ＮＮＩにおいてトンネルされた単一のＳ−ＶＬＡＮサービスへとマージされるように、前記複数のＲＣＰによって構成設定する（１１３）工程と、
前記構成設定された前記複数のＳ−ＶＩＤ各々に、前記第１のＳ−ＶＬＡＮコンポーネントの異なるカスタマ・ネットワーク・ポート（ＣＮＰ）を割り当てる（１１４）工程と、
前記Ｓ−ＶＩＤマージング・テーブルに従い、前記Ｃ−ＶＬＡＮコンポーネントの前記複数のＰＥＰからなるセットに対して一対一で前記第１のＳ−ＶＬＡＮコンポーネントの複数のＣＮＰを構成設定する（１１５）工程と、
前記第２のＳ−ＶＬＡＮコンポーネントのＣＮＰへ接続するために、前記Ｃ−ＶＬＡＮコンポーネントの前記ＣＥＰを構成設定する（１１６）工程と、
前記トンネルされた単一のＳ−ＶＬＡＮサービスのための前記Ｓ−ＶＩＤで、前記第２のＳ−ＶＬＡＮコンポーネントの前記Ｅ−ＮＮＩに面するプロバイダ・ネットワーク・ポート（ＰＮＰ）を構成設定する（１１７）工程を含むことを特徴とする請求項１に記載の方法。
【請求項３】
前記構成設定する工程は、
前記ヘアピン・スイッチング・サービス・インタフェースを提供するために前記プロバイダ・エッジ・ブリッジ（９１）を構成設定し、
前記Ｅ−ＮＮＩから離れた場所からカスタマへ前記ヘアピン・スイッチング・サービス・インタフェースを提供するために、前記ＭＥＮに面する第１のＳ−ＶＬＡＮコンポーネントの複数のポートが前記ＭＥＮの内部サービスに接続している場合に、前記複数のポートをＳ−ＶＬＡＮリモート・カスタマ・ポート（ＲＣＰ）として指定する（１２１）工程と、
複数のＳ−ＶＬＡＮ識別子（Ｓ−ＶＩＤ）からなるセットがヘアピン・スイッチングタイプのリモート・カスタマ・サービス・インタフェース（Ｒ−ＣＳＩ）として扱われるように、前記複数のＲＣＰによって構成設定する（１２２）工程と、
前記ＭＥＮの内部のＳ−ＶＩＤが前記Ｅ−ＮＮＩにおける複数のＳ−ＶＬＡＮサービスへと分割されるＳ−ＶＩＤヘアピン・スイッチング・テーブルを前記複数のＲＣＰによって構成設定する（１２３）工程と、
前記第１のＳ−ＶＬＡＮコンポーネントの異なるＣＮＰを前記構成設定された前記複数のＳ−ＶＩＤ各々へと割り当てる（１２４）工程と、
前記Ｓ−ＶＩＤヘアピン・スイッチング・テーブルに従い、同じＳ−ＶＩＤを持つように前記第１のＳ−ＶＩＤコンポーネントの複数のＣＮＰを構成設定する（１２５）工程と、
前記第２のＳ−ＶＬＡＮコンポーネントの複数のＣＮＰに接続するように前記第１のＳ−ＶＬＡＮコンポーネントの複数のＣＮＰを構成設定する（１２６）工程と、
前記ヘアピン・スイッチング・テーブルに従い、前記ＭＥＮの内部のＳ−ＶＩＤを分割するために、前記第２のＳ−ＶＬＡＮコンポーネントの前記複数のＣＮＰと前記Ｅ−ＮＮＩに面するプロバイダ・ネットワーク・ポート（ＰＮＰ）に異なるＳ−ＶＩＤで構成設定する（１２７）工程とを含むことを特徴とする請求項１に記載の方法。
【請求項４】
プロバイダ・エッジ・ブリッジ（１３１）において、仮想Ｃタグ付き・ユーザ・ネットワーク・インタフェース（ＶＵＮＩ）サービス・インタフェース、或いは、ヘヤピン・スイッチング・サービス・インタフェースを提供する方法であって、
前記プロバイダ・エッジ・ブリッジ（１３１）は、カスタマ・エッジ・ポート（ＣＥＰ）（１００）と複数プロバイダ・エッジ・ポート（ＰＥＰ）（９９）とを含むカスタマＶＬＡＮ（Ｃ−ＶＬＡＮ）コンポーネント（９４）を含み、
前記方法は、
前記プロバイダ・エッジ・ブリッジにおいて、前記Ｃ−ＶＬＡＮコンポーネント（９４）とメトロ・イーサネット（登録商標）・ネットワーク（ＭＥＮ）（９２）と外部ネットワーク・ネットワークインタフェース（Ｅ−ＮＮＩ）（９３）とに接続される単一のＳ−ＶＬＡＮコンポーネント（１３２）を実装する工程と、
Ｓ−ＶＬＡＮマッピング・コンポーネントを利用することなく、前記ＶＵＮＩサービス・インタフェース或いは前記ヘヤピン・スイッチング・サービス・インタフェースを提供するように、前記Ｓ−ＶＬＡＮコンポーネント（１３２）と前記Ｃ−ＶＬＡＮコンポーネント（９４）とを構成設定する工程とを有することを特徴とする方法。
【請求項５】
前記構成設定する工程は、
前記ＶＵＮＩサービス・インタフェースを提供するために前記プロバイダ・エッジ・ブリッジ（１３１）を構成設定し、
前記Ｅ−ＮＮＩから離れた場所からカスタマへ前記ＶＵＮＩサービス・インタフェースを提供するために、前記ＭＥＮに面している複数のＳ−ＶＬＡＮポートが前記ＭＥＮの内部サービスに接続している場合に、前記複数のＳ−ＶＬＡＮポートを複数のＳ−ＶＬＡＮリモート・カスタマ・ポート（ＲＣＰ）として指定する（１４１）工程と、
複数のＳ−ＶＬＡＮ識別子（Ｓ−ＶＩＤ）からなるセットがＶＵＮＩタイプのリモート・カスタマ・サービス・インタフェース（Ｒ−ＣＳＩ）として扱われるように前記複数のＲＣＰによって構成設定する（１４２）工程と、
前記ＭＥＮの前記複数のＳ−ＶＩＤからなるセットを識別するＳ−ＶＩＤマージングテーブルが前記Ｅ−ＮＮＩにおけるトンネルされた単一のＳ−ＶＬＡＮサービスへとマージされるように前記複数のＲＣＰによって構成設定する（１４３）工程と、
前記Ｓ−ＶＬＡＮコンポーネントの異なるカスタマ・ネットワーク・ポート（ＣＮＰ）を前記構成設定された複数のＳ−ＶＩＤ各々に割り当てる（１４４）工程と、
前記Ｓ−ＶＩＤマージングテーブルに従い、前記Ｃ−ＶＬＡＮコンポーネントの前記複数のＰＥＰからなるセットに一対一で前記Ｓ−ＶＬＡＮコンポーネントの複数のＣＮＰを構成設定する（１４５）工程と、
前記Ｓ−ＶＬＡＮコンポーネントのＣＮＰに接続するために前記Ｃ-ＶＬＡＮコンポーネントの前記ＣＥＰを構成設定する（１４６）工程と、
前記トンネルされたサービスのための同じＳ−ＶＩＤで、前記Ｅ−ＮＮＩに面する前記Ｓ−ＶＬＡＮプロバイダ・ネットワーク・ポート（ＰＮＰ）を構成設定する（１４７）工程とを含むことを特徴とする請求項４に記載の方法。
【請求項６】
前記構成設定する工程は、
前記ヘアピン・スイッチング・サービス・インタフェースを提供するために前記プロバイダ・エッジ・ブリッジ（１３１）を構成設定し、
前記Ｅ−ＮＮＩから離れた場所からカスタマへ前記ヘアピン・スイッチング・サービス・インタフェースを提供するために前記ＭＥＮに面している複数のＳ−ＶＬＡＮポートが前記ＭＥＮにおける複数の内部サービスに接続している場合、前記複数のＳ−ＶＬＡＮポートを複数のＳ−ＶＬＡＮリモート・カスタマ・ポート（ＲＣＰ）として指定する（１５１）工程と、
複数のＳ−ＶＬＡＮ識別子（Ｓ−ＶＩＤ）からなるセットがヘアピン・スイッチングタイプのリモート・カスタマ・サービス・インタフェース（Ｒ−ＣＳＩ）として扱われるように前記複数のＲＣＰによって構成設定する（１５２）工程と、
前記ＭＥＮ内部のＳ−ＶＩＤが前記Ｅ−ＮＮＩにおける複数のＳ−ＶＬＡＮサービスに分割されるＳ−ＶＩＤヘアピン・スイッチング・テーブルを前記複数のＲＣＰによって構成設定する（１５３）工程と、
前記構成設定された前記複数のＳ−ＶＩＤ各々へ前記Ｓ−ＶＬＡＮコンポーネントの異なるカスタマ・ネットワーク・ポート（ＣＮＰ）を割り当てる（１５４）工程と、
前記Ｓ−ＶＩＤヘアピン・スイッチング・テーブルに従い、同じＳ−ＶＩＤを持つように前記Ｓ−ＶＬＡＮコンポーネントの複数のＣＮＰを構成設定する（１５５）工程と、
前記Ｓ−ＶＬＡＮコンポーネントの他のＣＮＰに接続するよう当該同じＳ−ＶＬＡＮコンポーネントの複数のＣＮＰを構成設定する（１５６）工程と、
前記ヘアピン・スイッチング・テーブルに従って、前記ＭＥＮ内部のＳ−ＶＩＤを分割するために、前記Ｓ−ＶＬＡＮコンポーネントの前記複数のＣＮＰと前記Ｅ−ＮＮＩに面するプロバイダ・ネットワーク・ポート（ＰＮＰ）を異なるＳ−ＶＩＤで構成設定する（１５７）工程とを含むことを特徴とする請求項４に記載の方法。
【請求項７】
仮想Ｃタグ付き・ユーザ・ネットワーク・インタフェース（ＶＵＮＩ）サービス・インタフェースもしくはヘアピン・スイッチング・サービス・インタフェースを提供するプロバイダ・エッジ・ブリッジ（９１）であって、前記プロバイダ・エッジ・ブリッジは、
カスタマ・エッジ・ポート（ＣＥＰ）（１００）と複数のプロバイダ・エッジ・ポート（ＰＥＰ）（９９）とを有するカスタマＶＬＡＮ（Ｃ−ＶＬＡＮ）コンポーネント（９４）と、
前記Ｃ−ＶＬＡＮコンポーネント（９４）とメトロ・イーサネット（登録商標）・ネットワーク（ＭＥＮ）（９２）とに接続された第１のサービス仮想ローカルエリアネットワーク（Ｓ−ＶＬＡＮ）コンポーネント（９５）と、
前記Ｃ−ＶＬＡＮコンポーネント（９４）と前記第１のＳ−ＶＬＡＮコンポーネント（９５）と外部ネットワーク・ネットワークインタフェース（Ｅ−ＮＮＩ）とに接続された第２のＳ−ＶＬＡＮコンポーネント（９６）とを有し、
前記プロバイダ・エッジ・ブリッジ（９１）は、Ｓ−ＶＬＡＮマッピング・コンポーネントを利用することなく、前記ＶＵＮＩサービス・インタフェースもしくは前記ヘアピン・スイッチング・サービス・インタフェースを提供するために構成設定されることを特徴とするプロバイダ・エッジ・ブリッジ。
【請求項８】
前記Ｅ−ＮＮＩ（９３）においてトンネルされた単一のＳ−ＶＬＡＮサービスへとマージされるように、前記ＭＥＮ（９２）における前記複数のＳ−ＶＬＡＮ識別子（Ｓ−ＶＩＤ）からなるセットを識別するＳ−ＶＩＤマージングテーブルをさらに有し、
前記Ｅ−ＮＮＩから離れた場所からカスタマへ前記ＶＵＮＩサービス・インタフェースを提供するために、前記ＭＥＮに面している前記第１のＳ−ＶＬＡＮコンポーネントの複数のポートが前記ＭＥＮにおける内部サービスに接続している場合に、前記複数のポートは、複数のＳ−ＶＬＡＮリモート・カスタマ・ポート（ＲＣＰ）（９７）として指定され、
複数のＳ−ＶＬＡＮ識別子（Ｓ−ＶＩＤ）からなるセットは、リモート・カスタマ・サービス・インタフェース（Ｒ−ＣＳＩ）のＶＵＮＩタイプとして扱われるように構成設定され、
前記第１のＳ−ＶＬＡＮコンポーネントの異なるカスタマ・ネットワーク・ポート（ＣＮＰ）は前記構成設定された前記複数のＳ−ＶＩＤ各々に割り当てられ、
前記第１のＳ−ＶＬＡＮコンポーネントの複数のＣＮＰ（９８）は、前記Ｓ−ＶＩＤマージング・テーブルに従い、前記Ｃ−ＶＬＡＮコンポーネントの前記複数のＰＥＰ（９９）からなるセットに対して一対一で構成設定され、
前記Ｃ−ＶＬＡＮコンポーネントの前記ＣＥＰ（１００）は、前記第２のＳ−ＶＬＡＮコンポーネントのＣＮＰ（１０１）へ接続するために構成設定され、
前記第２のＳ−ＶＬＡＮコンポーネントの前記Ｅ−ＮＮＩに面するプロバイダ・ネットワーク・ポート（ＰＮＰ）（１０５）は、前記トンネルされた単一のＳ−ＶＬＡＮサービスのための前記Ｓ−ＶＩＤで構成設定されることを特徴とする請求項７に記載のプロバイダ・エッジ・ブリッジ。
【請求項９】
前記ＭＥＮ（９２）の内部のＳ−ＶＬＡＮ識別子（Ｓ−ＶＩＤ）が前記Ｅ−ＮＮＩ（９３）における複数のＳ−ＶＬＡＮサービスへと分割されるＳ−ＶＩＤヘアピン・スイッチング・テーブルをさらに有し、
前記Ｅ−ＮＮＩから離れた場所からカスタマへ前記ヘアピン・スイッチング・サービス・インタフェースを提供するために、前記ＭＥＮに面する第１のＳ−ＶＬＡＮコンポーネントの複数のポートが前記ＭＥＮの内部サービスに接続している場合に、前記複数のポートはＳ−ＶＬＡＮリモート・カスタマ・ポート（ＲＣＰ）（９７）として指定され、
リモート・カスタマ・サービス・インタフェース（Ｒ−ＣＳＩ）のヘアピン・スイッチングタイプとして扱われるように、複数のＳ−ＶＬＡＮ識別子（Ｓ−ＶＩＤ）からなるセットが構成設定され、
前記第１のＳ−ＶＬＡＮコンポーネントの異なるＣＮＰが前記構成設定された前記複数のＳ−ＶＩＤ各々へと割り当てられ、
前記Ｓ−ＶＩＤヘアピン・スイッチング・テーブルに従い、同じＳ−ＶＩＤを持つように前記第１のＳ−ＶＩＤコンポーネントの複数のＣＮＰ（１０６）が構成設定され、
前記第２のＳ−ＶＬＡＮコンポーネントの複数のＣＮＰ（１０７）に接続するように前記第１のＳ−ＶＬＡＮコンポーネントの前記複数のＣＮＰ（１０６）は構成設定され、
前記ヘアピン・スイッチング・テーブルに従い、前記ＭＥＮの内部のＳ−ＶＩＤを分割するために、前記第２のＳ−ＶＬＡＮコンポーネントの前記複数のＣＮＰと前記Ｅ−ＭＭＩに面するプロバイダ・ネットワーク・ポート（ＰＮＰ）（１０５）は、異なるＳ−ＶＩＤで構成設定されることを特徴とする請求項７に記載のプロバイダ・エッジ・ブリッジ。
【請求項１０】
仮想Ｃタグ付き・ユーザ・ネットワーク・インタフェース（ＶＵＮＩ）サービス・インタフェースもしくはヘアピン・スイッチング・サービス・インタフェースを提供するプロバイダ・エッジ・ブリッジ（１３１）であって、前記プロバイダ・エッジ・ブリッジは、
カスタマ・エッジ・ポート（ＣＥＰ）（１００）と複数のプロバイダ・ネットワーク・ポート（ＰＥＰ）（９９）とを有するカスタマＶＬＡＮ（Ｃ−ＶＬＡＮ）コンポーネント（９４）と、
前記Ｃ−ＶＬＡＮコンポーネント（９４）とメトロ・イーサネット（登録商標）・ネットワーク（ＭＥＮ）（９２）と外部ネットワーク・ネットワークインタフェース（Ｅ−ＮＮＩ）（９３）とに接続されたサービス仮想ローカルエリアネットワーク（Ｓ−ＶＬＡＮ）コンポーネント（１３２）とを有し、
前記プロバイダ・エッジ・ブリッジ（１３１）は、Ｓ−ＶＬＡＮマッピング・コンポーネントを利用することなく、前記ＶＵＮＩサービス・インタフェースもしくは前記ヘアピン・スイッチング・サービス・インタフェースを提供するよう構成設定されることを特徴とするプロバイダ・エッジ・ブリッジ。
【請求項１１】
前記Ｅ−ＮＮＩ（９３）におけるトンネルされた単一のＳ−ＶＬＡＮサービスへとマージされる前記ＭＥＮ（９２）の複数のＳ−ＶＬＡＮ識別子（Ｓ−ＶＩＤ）からなるセットを識別するＳ−ＶＩＤマージングテーブルをさらに有し、
前記Ｅ−ＮＮＩから離れた場所からカスタマへ前記ＶＵＮＩサービス・インタフェースを提供するために、前記ＭＥＮに面している複数のＳ−ＶＬＡＮポートが前記ＭＥＮの内部サービスに接続している場合に、前記複数のＳ−ＶＬＡＮポートは複数のＳ−ＶＬＡＮリモート・カスタマ・ポート（ＲＣＰ）として指定され、
前記複数のＳ−ＶＩＤからなるセットはリモート・カスタマ・サービス・インタフェース（Ｒ−ＣＳＩ）のＶＵＮＩタイプとして扱われるように構成設定され、
前記Ｓ−ＶＬＡＮコンポーネントの異なるＣＮＰは前記構成設定された前記複数のＳ−ＶＩＤ各々に割り当てられ、
前記Ｓ−ＶＩＤマージングテーブルに従い、前記Ｃ−ＶＬＡＮコンポーネントの前記複数のＰＥＰ（９９）からなるセットに一対一で前記Ｓ−ＶＬＡＮコンポーネントの複数のＣＮＰ（９８）は構成設定され、
前記トンネルされたサービスのための同じＳ−ＶＩＤで、前記Ｓ−ＶＬＡＮコンポーネントの前記Ｅ−ＮＮＩに面する前記Ｓ−ＶＬＡＮプロバイダ・ネットワーク・ポート（ＰＮＰ）（１０５）は構成設定されることを特徴とする請求項１０に記載のプロバイダ・エッジ・ブリッジ。
【請求項１２】
前記ＭＥＮ内部のＳ−ＶＬＡＮ識別子（Ｓ−ＶＩＤ）が前記Ｅ−ＮＮＩ（９３）における複数のＳ−ＶＬＡＮサービスに分割されるＳ−ＶＩＤヘアピン・スイッチング・テーブルをさらに有し、
前記Ｅ−ＮＮＩから離れた場所からカスタマへ前記ヘアピン・スイッチング・サービス・インタフェースを提供するために前記ＭＥＮに面している複数のＳ−ＶＬＡＮポートが前記ＭＥＮにおける複数の内部サービスに接続している場合、前記複数のＳ−ＶＬＡＮポートは複数のＳ−ＶＬＡＮリモート・カスタマ・ポート（ＲＣＰ）（９７）として指定され、
前記複数のＳ−ＶＩＤからなるセットは、リモート・カスタマ・サービス・インタフェース（Ｒ−ＣＳＩ）のヘアピン・スイッチングタイプとして扱われるために構成設定され、
前記構成設定された前記複数のＳ−ＶＩＤ各々へ前記Ｓ−ＶＬＡＮコンポーネントの異なるカスタマ・ネットワーク・ポート（ＣＮＰ）が割り当てられ、
前記Ｓ−ＶＩＤヘアピン・スイッチング・テーブルに従い、同じＳ−ＶＩＤを持つように前記Ｓ−ＶＬＡＮコンポーネントの複数のＣＮＰ（１０６）が構成設定され、
前記Ｓ−ＶＬＡＮコンポーネントの他のＣＮＰ（１０７）に接続するよう当該同じＳ−ＶＬＡＮコンポーネントの前記複数のＣＮＰ（１０６）は構成設定され、
前記ヘアピン・スイッチング・テーブルに従って、前記ＭＥＮ内部のＳ−ＶＩＤを分割するために、前記Ｓ−ＶＬＡＮコンポーネントの前記複数のＣＮＰと前記Ｅ−ＮＮＩに面するプロバイダ・ネットワーク・ポート（ＰＮＰ）（１０５）は、異なるＳ−ＶＩＤで構成設定されることを特徴とする請求項１０に記載のプロバイダ・エッジ・ブリッジ。
【発明の詳細な説明】
【技術分野】
【０００１】
本願は２００９年１１月１３日出願の米国特許仮出願番号第６０／２６０，９２５号の優先権を主張するものである。
【０００２】
本発明は一般的には通信システムに関し、特に、プロバイダ・エッジ・ブリッジ内のリモート・カスタマ・サービス・インタフェースを提供するシステム及び方法に関する。
【背景技術】
【０００３】
メトロ・イーサネット（登録商標）・フォーラムは、メトロ・イーサネット（登録商標）・ネットワーク（ＭＥＮ）によって提供されるサービス、ＭＥＮへのインタフェース、及びサービスとインタフェースを特徴づける属性とを規定している。
【０００４】
図１はＭＥＮとカスタマ装置（ＣＥ）１３ａ〜１３ｃとの間の複数ユーザ・ネットワーク・インタフェースＡ−Ｃ（ＵＮＩ）１２ａ〜１２ｃを示したＭＥＮ１１の簡略化されたブロック図である。ＭＥＮが８０２．１技術によって実装されている場合、ＭＥＮはプロバイダ・ブリッジ・ネットワーク（８０２．１ａｄ）と同等である。図１に示すように、各ＵＮＩはＭＥＮとＣＥとの間の境界である。ＵＮＩにおけるフレームフォーマットはタグ無しもしくはＣタグ付き・イーサネット（登録商標）・フレームである。ＵＮＩはポート・ベースもしくはＣタグ付きのどちらかのサービス・インタフェースを提供する。ＵＮＩにおいてイーサネット（登録商標）仮想接続（ＥＶＣ）へマッピングされた任意の入口カスタマ・フレームが、同じＥＶＣへと対応付けられた任意の、もしくはすべての他のＵＮＩに配信されるように、ＥＶＣはＵＮＩと関連している。図１は２つのＥＶＣを図示する。ＥＶＣ−１は、ＵＮＩ  ＡとＵＮＩ  Ｂと関連し、ＥＶＣ−２はＵＮＩ  Ａ、ＵＮＩ  Ｂ及びＵＮＩ  Ｃと関連する。プロバイダ・ブリッジ・ネットワークにとって、ＥＶＣはサービス仮想ローカル・エリア・ネットワーク（Ｓ−ＶＬＡＮ）によって実施され、Ｓ−ＶＬＡＮ識別子（Ｓ−ＶＩＤ）によって識別されるサービス・インスタンスである。
【０００５】
図２は外部ネットワーク・ネットワーク・インタフェース（Ｅ−ＮＮＩ）２３によって接続された２つの事業者ＭＥＮ２１及び２２の簡略化されたブロック図である。ＭＥＦモデルには、カスタマによって提示されたエンド−ツウ−エンドサービスを担当するサービス・プロバイダがある。サービスを実現するために、各々がＭＥＮを担当する１つ以上の事業者とサービス・プロバイダは契約を結ぶかもしれない。サービス・プロバイダは事業者の１つであってもよいし、そうでなくてもよい。Ｅ−ＮＮＩは、分離された管理ドメインによって運用される２つの事業者ＭＥＮの間の境界を表す参照点である。
【０００６】
Ｅ−ＮＮＩ２３における物理メディアは全二重の８０２．３  ＬＡＮである。Ｅ−ＮＮＩにおけるフレームフォーマットはＳタグ付きの８０２．３  フレームである。Ｓ−ＶＩＤは、Ｅ−ＮＮＩのいずれかの側の事業者がフレームを適切なオペレータ仮想接続（ＯＶＣ）のエンドポイントへとマッピングすることを可能とするサービス識別子である。
【０００７】
ＥＶＣ２４はエンド−ツウ−エンドの（ＵＮＩ−ＵＮＩ間）のサービス・インスタンスである。ＯＶＣは（１つの事業者ＭＥＮに対する）ローカル・サービス・インスタンスである。図２はＭＥＮ２１のための第１のＯＶＣ２５とＭＥＮ２２のための第２のＯＶＣを図示している。多くの場合、ＯＶＣとＥＶＣとの間には、所与の事業者ＭＥＮと１対１の関係がある、しかしながら、これは全ての場合には真実ではない。図２の下部の矢印はＯＶＣ２５及び２６、そしてＥＶＣ２４を示す単純な例である。
【０００８】
図３は、サービス・プロバイダがカスタマへとマルチポイントＥＶＣを提供する２つの事業者ＭＥＮ３１及び３２の簡略化されたブロック図である。ＭＥＮはＥ−ＮＮＩ３３によって接続される。特定の環境下において、サービス・プロバイダはカスタマへ提供されているサービスの詳細を他の事業者に公開もしくは委託したくないかもしれない。サービス・プロバイダはカスタマへマルチポイント・サービスを提供するかもしれないが、他の事業者のＭＥＮからはポイント−ツウ−ポイントＯＶＣのみを購入する。図３に示される例において、サービス・プロバイダＡは、ＵＮＩ  Ａ  ３４ａ、ＵＮＩ  Ｂ  ３４ｂ、ＵＮＩ  Ｅ  ３４ｅ、ＵＮＩ  Ｄ  ３４ｄにおいてカスタマへマルチポイントＥＶＣを提供する。また、サービス・プロバイダＡは、ＭＥＮ  Ａ  ３１も所有している（つまり、サービス・プロバイダＡはＭＥＮ  Ａの事業者でもある）。カスタマ情報を秘密にし、運用コストを削減するために、サービス・プロバイダＡはＭＥＮ  Ｂ  ３２の事業者から２つのポイント−ツウ−ポイントＯＶＣを購入するのみである。
【０００９】
ＵＮＩ  Ｅ  ３４ｅから宛先をＵＮＩ  Ｄ  ３４ｄとしてフレームが送信された場合に問題が発生する。サービス・プロバイダＡは、ＭＥＮ  Ｂ  ３２からは２つのポイント−ツウ−ポイントＯＶＣのみを用いるため、Ｅ−ＮＮＩ３３のポートにおいてこのフレームはＭＥＮ  Ａ３１によって受信され、同じ物理ポートにおいてＵＮＩ  Ｄ  ３４ｄへ異なるＳ−ＶＩＤで送信される必要がある。この処理は“ヘアピン・スイッチング”として言及され、現在のプロバイダ・エッジ・ブリッジによってはサポートされていない。
【００１０】
図４は、図３の“ヘアピン・スイッチング”と類似の処理で他の事業者ＭＥＮに位置するカスタマへ、サービス・プロバイダがサービスを提供する場合での２つの事業者ＭＥＮ  ４１及び４２の単純化されたブロック図である。ＭＥＮはＥ−ＮＮＩ４３によって接続されている。サービス・プロバイダＡは２つ以上のＥＶＣをＭＥＮ  Ｂに位置するＵＮＩ  Ｄ  ４４ｄへ提供する。サービス・プロバイダＡはＭＥＮ  Ａを所有するが、ＭＥＮ  Ｂは所有しない。図４に示される単純な解決法は、サービス・プロバイダＡが事業者ＢからのＥＶＣごとにＯＶＣを取得し、事業者Ｂにサービス多重化機能を実行させることである。
【００１１】
しかしながら、サービス・プロバイダはこの解決法をいくつかの理由によって好まないかもしれない。第１に、サービス・プロバイダＡは事業者Ｂから複数ＯＶＣを購入するために、カスタマ情報の詳細を公開する必要がある。第２に、ＵＮＩ  Ｄに提供されるＥＶＣ数のようなサービスの変更がある場合にはいつでも、サービス・プロバイダＡはオペレータＢと調整しなければならない。
【００１２】
図５はＭＥＮ  ＡにおいてＥ−ＮＮＩ５４のそばの仮想ＵＮＩ（ＶＵＮＩ）５３がサービス多重化及び他のＵＮＩ機能を実行する状況における２つの事業者ＭＥＮ５１と５２の簡略化されたブロック図である。ＭＥＮが８０２．１技術を使用する場合、Ｅ−ＮＮＩにおいてＶＵＮＩを実装するには、Ｓ−ＶＩＤに基いてＥ−ＮＮＩにおいて受信した多重化されたフレームをまず分離し、カスタマＶＬＡＮ識別子（Ｃ−ＶＩＤ）に基いてＥＶＣへフレームをマッピングするノーマル・プロバイダ・エッジ・ブリッジ機能を実行する逆多重化機能を必要とする。ＶＵＮＩは現在のプロバイダ・エッジ・ブリッジによってサポートされていない。
【００１３】
図６は現存するプロバイダ・エッジ・ブリッジ・モデル６１の単純化したブロック図である。８０２．１ａｄ（プロバイダ・ブリッジ）において、新たなサービスＶＬＡＮタグはプロバイダ・ネットワークで用いるために定義される。それで、プロバイダ・ブリッジ・ネットワークの端部におけるブリッジが、カスタマＶＬＡＮ（Ｃ−ＶＬＡＮ）タグとサービスＶＬＡＮ（Ｓ−ＶＬＡＮ）タグの両方において動作する必要がある。プロバイダ・エッジ・ブリッジは、Ｓ−ＶＬＡＮコンポーネント６３へのサービス・インスタンスごとの内部接続に、少なくとも１つのＣ−ＶＬＡＮコンポーネント６２（カスタマに対して１つ）を備える。Ｃ−ＶＬＡＮコンポーネントは、カスタマ所有の装置と接続され、単一のカスタマとフレームを送受信するカスタマ・エッジ・ポート（ＣＥＰ）６４を備える。Ｓ−ＶＬＡＮコンポーネントは、単一カスタマとフレームを送受信する少なくとも１つのＣＮＰを備える。Ｓ−ＶＬＡＮコンポーネントはまた、複数カスタマとフレームを送受信するプロバイダ・ネットワーク・ポート（ＰＮＰ）６７も備える。
【００１４】
図７はプロバイダ・ブリッジ・ネットワークにおける“ヘアピン・スイッチング”と“ＶＵＮＩ”の問題を扱うためにＩＥＥＥ  ８０２．１Ｑｂｃ／Ｄ０．０において提案されているプロバイダ・エッジ・ブリッジ・モデル７１の単純化されたブロック図である。図７に図示されるように、Ｓ−ＶＬＡＮマッピング・コンポーネント７２の使用を通じて、複数リモート・カスタマ・サービス・インタフェースは、２つのプロバイダ・ブリッジ・ネットワークを相互接続したＬＡＮにより備えられる。
【００１５】
そのモデルは、単一のサービスＶＩＤと関連付けられたリモート・カスタマ・サービス・インタフェース７４を各内部ＬＡＮが提供する場合、Ｓ−ＶＬＡＮマッピング・コンポーネント７２が共通ポート（例えば、Ｓ−ＶＬＡＮマッピング・コンポーネント７２内のＰＮＰ）と複数の（内部）ＬＡＮのセット７３との間でフレームを中継することを規定している。Ｓ−ＶＬＡＮマッピング・コンポーネント７２は、１つのＳ−ＶＬＡＮタグがつけられた外部ＬＡＮと各々が単一サービス・インタフェースを提供する内部ＬＡＮのセットとの間でフレームを伝達する、限定された機能のＳ−ＶＬＡＮコンポーネントである。リモート・カスタマ・サービス・インタフェース（Ｒ−ＣＳＩ）に属するフレームは一意のサービスＶＩＤによって識別され、固有の内部ＬＡＮへ、そして固有の内部ＬＡＮからマッピングされる。
【００１６】
Ｒ−ＣＳＩはＣタグ付き・サービス・インタフェースを提供する（即ち、ＶＵＮＩを提供する）ためにＣ−ＶＬＡＮコンポーネント７５へ接続してもよく、或いは、ポート・ベース・インタフェースを提供する（即ち、ヘアピン・スイッチングを提供する）ためにプロバイダ・ブリッジのＳ−ＶＬＡＮコンポーネント７６へ直接接続されてもよい。１つの内部ＬＡＮ７７は複数のＰＢＮの間のＳタグ付き・サービス・インタフェースを提供してもよく、複数サービスＶＩＤがこのインタフェースへマッピングされてもよい。プロバイダ・ブリッジのＳ−ＶＬＡＮコンポーネント７６へと直接接続され、Ｓタグ付き・サービス・インタフェースを提供する。
【発明の概要】
【発明が解決しようとする課題】
【００１７】
既存のリモート・カスタマ・サービス・インタフェース（Ｒ−ＣＳＩ）の解決策がもつ課題は、それが新たなＳ−ＶＬＡＮマッピング・コンポーネント７２を必要とする点にある。これは新たな機能をサポートするために追加の新しいハードウェアを必要とし、標準化されたＣ−ＶＬＡＮコンポーネント６２やＳ−ＶＬＡＮコンポーネント６３は再利用できない。さらに、この解決策はコストがかかり、望ましくない。
【課題を解決するための手段】
【００１８】
本発明は、プロバイダ・エッジ・ブリッジにおけるリモート・カスタマ・サービス・インタフェースを提供するシステム及び方法を提供する。本発明はヘアピン・スイッチング及びＶＵＮＩ機能をサポートするためにＣ−ＶＬＡＮ及びＳ−ＶＬＡＮコンポーネントを再利用するためのＶＬＡＮコンポーネントの構築の柔軟性を利用する。第１の実施例では、既存のＶＬＡＮコンポーネントが前記機能を提供するために利用される。Ｓ−ＶＬＡＮマッピングコンポーネントを使用する代わりに、本発明は特定の構成設定を行ったＳ−ＶＬＡＮコンポーネントを加える。第２の実施例では、プロバイダ・エッジ・ブリッジ・アーキテクチャが新たな機能コンポーネントを追加せずに利用される。新たなポート機能は単一のＳ−ＶＬＡＮコンポーネントもしくは市販のプロバイダ・エッジ・ブリッジへと統合される。
【００１９】
１つの実施例では、本発明はサービス仮想ローカル・エリア・ネットワーク（Ｓ−ＶＬＡＮ）マッピング・インタフェースを用いることなく、仮想Ｃタグ付き・ユーザ・ネットワーク・インタフェース（ＶＵＮＩ）サービス・インタフェースを提供するために、プロバイダ・ブリッジ・ネットワークにおけるプロバイダ・ブリッジ・ネットワークを構成設定する方法に関するものである。プロバイダ・エッジ・ブリッジは、カスタマ・エッジ・ポート（ＣＥＰ）と複数プロバイダ・エッジ・ポート（ＰＥＰ）とを含むカスタマＶＬＡＮ（Ｃ−ＶＬＡＮ）コンポーネントを含む。プロバイダ・エッジ・ブリッジは、第１のＳ−ＶＬＡＮコンポーネントを通じてメトロ・イーサネット（登録商標）・ネットワーク（ＭＥＮ）へ接続され、第２のＳ−ＶＬＡＮコンポーネントを通じて外部ネットワーク・ネットワークインタフェース（Ｅ−ＮＮＩ）へと接続される。本発明の方法は、Ｅ−ＮＮＩから離れた場所からカスタマへＶＵＮＩサービス・インタフェースを提供するために、ＭＥＮに面している第１のＳ−ＶＬＡＮコンポーネントの複数のポートがＭＥＮにおける内部サービスに接続されている場合に、Ｓ−ＶＬＡＮリモート・カスタマ・ポート（ＲＣＰ）として、前記複数ポートを指定する工程と、複数のＳ−ＶＬＡＮ識別子（Ｓ−ＶＩＤ）からなるセットがＶＵＮＩタイプのリモート・カスタマ・サービス・インタフェース（Ｒ−ＣＳＩ）として扱われるように複数のＲＣＰによって構成設定する工程と、前記ＭＥＮにおける複数のＳ−ＶＩＤからなるセットを識別するＳ−ＶＩＤテーブルが前記Ｅ−ＮＮＩにおけるトンネルされた単一のＳ−ＶＬＡＮサービスへとマージされるように、前記ＲＣＰによって構成設定する工程とを含む。この方法はまた、各構成設定されたＳ−ＶＩＤに、前記第１のＳ−ＶＬＡＮコンポーネントの異なるカスタマ・ネットワーク・ポート（ＣＮＰ）を割り当てる工程と、前記Ｓ−ＶＩＤマージング・テーブルに従い、前記Ｃ−ＶＬＡＮコンポーネントの前記複数のＰＥＰからなるセットに対して一対一で前記第１のＳ−ＶＬＡＮコンポーネントの複数のＣＮＰを構成設定する工程と、前記第２のＳ−ＶＬＡＮコンポーネントのＣＮＰへ接続するために前記Ｃ−ＶＬＡＮコンポーネントのＣＥＰを構成設定する工程と、前記トンネルされた単一のＳ−ＶＬＡＮサービスのために前記Ｓ−ＶＩＤで前記第２のＳ−ＶＬＡＮコンポーネントの前記Ｅ−ＮＮＩに面するプロバイダ・ネットワーク・ポート（ＰＮＰ）を構成設定する工程をも含む。このようにして、プロバイダ・エッジ・ブリッジは、前記Ｓ−ＶＬＡＮマッピング・コンポーネントを利用することなく、ＶＵＮＩサービス・インタフェースを提供するように構成設定される。
【００２０】
別の実施例では、本発明は、Ｓ−ＶＬＡＮマッピング・コンポーネントを利用することなく、ヘアピン・スイッチング・サービス・インタフェースを提供するためにプロバイダ・ブリッジ・ネットワークのプロバイダ・ブリッジ・ネットワークを構成設定する方法に関するものである。プロバイダ・エッジ・ブリッジは、第１のＳ−ＶＬＡＮコンポーネントを通じてＭＥＮへと接続され、第２のＳ−ＶＬＡＮコンポーネントを通じてＥ−ＮＮＩへと接続される。本発明の方法は、Ｅ−ＮＮＩから離れた場所からカスタマへヘアピン・スイッチング・サービス・インタフェースを提供するためにＭＥＮの内部サービスに複数のポートが接続している場合に、前記ＭＥＮに面する第１のＳ−ＶＬＡＮコンポーネントの複数のポートをＲＣＰとして指定する工程と、複数のＳ−ＶＩＤからなるセットがヘアピン・スイッチングタイプのＲ−ＣＳＩとして扱われるように、複数のＲＣＰによって構成設定する工程と、前記ＭＥＮの内部のＳ−ＶＩＤが前記Ｅ−ＮＮＩの複数のＳ−ＶＬＡＮサービスへと分割されるＳ−ＶＩＤヘアピン・スイッチング・テーブルをＲＣＰによって構成設定する工程とを含む。この方法はまた、前記第１のＳ−ＶＬＡＮコンポーネントの異なるＣＮＰを各構成設定されたＳ−ＶＩＤへと割り当てる工程と、前記Ｓ−ＶＩＤヘアピン・スイッチング・テーブルに従い、同じＳ−ＶＩＤを持つように前記第１のＳ−ＶＩＤコンポーネントの複数ＣＮＰに構成設定する工程と、第２のＳ−ＶＬＡＮコンポーネントのＣＮＰに接続するように前記第１のＳ−ＶＬＡＮコンポーネントの複数のＣＮＰを構成設定する工程と、前記ヘアピン・スイッチング・テーブルに従い、前記ＭＥＮの内部のＳ−ＶＩＤを分割するために、前記第２のＳ−ＶＬＡＮコンポーネントの前記複数のＣＮＰとＰＮＰに異なるＳ−ＶＩＤで構成設定する工程とを含む。このようにして、プロバイダ・エッジ・ブリッジは、Ｓ−ＶＬＡＮマッピング・コンポーネントを利用せず、ヘアピン・スイッチング・サービス・インタフェースを提供するよう構成設定される。
【００２１】
別の実施例では、本発明はＳ−ＶＬＡＮマッピング・コンポーネントを利用することなくＶＵＮＩサービス・インタフェースを提供するためにプロバイダ・ブリッジ・ネットワークにおけるプロバイダ・エッジ・ブリッジを構成設定する方法に関するものである。この実施例において、プロバイダ・エッジ・ブリッジは、Ｓ−ＶＬＡＮコンポーネントの複数のＲＣＰを通じてＭＥＮへと接続され、同じＳ−ＶＬＡＮコンポーネントのＰＮＰを通じてＥ−ＮＮＩへと接続される。本発明の方法は、Ｅ−ＮＮＩから離れた場所からカスタマへＶＵＮＩサービス・インタフェースを提供するために、複数のポートがＭＥＮの内部サービスに接続している場合に、前記ＭＥＮに面している複数のＳ−ＶＬＡＮポートをＲＣＰとして指定する工程と、複数のＳ−ＶＩＤからなるセットがＶＵＮＩタイプのＲ−ＣＳＩとして扱われるように前記複数のＲＣＰによって構成設定する工程と、前記ＭＥＮの前記複数のＳ−ＶＩＤからなるセットを識別するＳ−ＶＩＤマージングテーブルが前記Ｅ−ＮＮＩにおけるトンネルされた単一のＳ−ＶＬＡＮサービスへとマージされるように前記複数のＲＣＰによって構成設定する工程とを含む。この方法はまた、前記Ｓ−ＶＬＡＮの異なるＣＮＰを前記各構成設定されたＳ−ＶＩＤに割り当てる工程と、前記Ｓ−ＶＩＤマージングテーブルに従い、前記Ｃ−ＶＬＡＮコンポーネントの前記複数のＰＥＰからなるセットに一対一で前記Ｓ−ＶＬＡＮコンポーネントの複数のＣＮＰを構成設定する工程と、前記トンネルされたサービスのために同じＳ−ＶＩＤで前記Ｅ−ＮＮＩに面する前記Ｓ−ＶＬＡＮコンポーネントの前記ＰＮＰを構成設定する工程とを含む。このようにして、プロバイダ・エッジ・ブリッジは、Ｓ−ＶＬＡＮマッピング・コンポーネントを利用することなく、ＶＵＮＩサービス・インタフェースを提供するために構成設定される。
【００２２】
別の実施例では、本発明はＳ−ＶＬＡＮマッピング・コンポーネントを用いることなく、ヘアピン・スイッチング・サービス・インタフェースを提供するためにプロバイダ・ブリッジ・ネットワークにおけるプロバイダ・エッジ・ブリッジを構成設定する方法に関するものである。再び、この実施例では、プロバイダ・エッジ・ブリッジは、Ｓ−ＶＬＡＮコンポーネントの複数のＲＣＰを通じてＭＥＮへ接続され、同じＳ−ＶＬＡＮコンポーネントのＰＮＰを通じてＥ−ＮＮＩに接続される。本発明の方法は、Ｅ−ＮＮＩから離れた場所からカスタマへヘアピン・スイッチング・サービス・インタフェースを提供するために複数のＳ−ＶＬＡＮポートがＭＥＮにおける複数の内部サービスに接続している場合、前記ＭＥＮに面しているこれら複数のＳ−ＶＬＡＮポートを前記複数のＲＣＰとして指定する工程と、複数のＳ−ＶＩＤからなるセットがヘアピン・スイッチングタイプのＲ−ＣＳＩとして扱われるように前記複数のＲＣＰによって構成設定する工程と、前記ＭＥＮ内部のＳ−ＶＩＤが前記Ｅ−ＮＮＩにおける複数のＳ−ＶＬＡＮサービスに分割されるＳ−ＶＩＤヘアピン・スイッチング・テーブルを前記複数のＲＣＰによって構成設定する工程とを含む。その方法はまた、前記各構成設定されたＳ−ＶＩＤへ前記Ｓ−ＶＬＡＮコンポーネントの異なるＣＮＰを割り当てる工程と、前記Ｓ−ＶＩＤヘアピン・スイッチング・テーブルに従い、同じＳ−ＶＩＤを持つように前記Ｓ−ＶＬＡＮコンポーネントの複数のＣＮＰを構成設定する工程と、前記Ｓ−ＶＬＡＮコンポーネントの他のＣＮＰに接続するよう当該同じＳ−ＶＬＡＮコンポーネントの複数のＣＮＰを構成設定する工程と、前記ヘアピン・スイッチング・テーブルに従って、前記ＭＥＮ内部のＳ−ＶＩＤを分割するために、前記Ｓ−ＶＬＡＮコンポーネントの複数のＣＮＰとＰＮＰを異なるＳ−ＶＩＤで構成設定する工程とを含む。このようにして、プロバイダ・エッジ・ブリッジは、Ｓ−ＶＬＡＮマッピング・コンポーネントを利用せず、ヘアピン・スイッチング・サービス・インタフェースを提供するよう構成設定される。
【００２３】
別の実施例では、本発明は、ＶＵＮＩサービス・インタフェースもしくはヘアピン・スイッチング・サービス・インタフェースを提供するプロバイダ・エッジ・ブリッジに関するものである。そのプロバイダ・エッジ・ブリッジは、ＣＥＰと複数ＰＥＰを有するＣ−ＶＬＡＮコンポーネントと、前記Ｃ−ＶＬＡＮコンポーネントとＭＥＮへと接続された第１のＳ−ＶＬＡＮコンポーネントと、前記Ｃ−ＶＬＡＮコンポーネント、第１のＳ−ＶＬＡＮコンポーネント、及びＥ−ＮＮＩへと接続された第２のＳ−ＶＬＡＮコンポーネントとを備える。そのプロバイダ・エッジ・ブリッジは、Ｓ−ＶＬＡＮマッピング・コンポーネントを利用することなく、ＶＵＮＩサービス・インタフェースもしくはヘアピン・スイッチング・サービス・インタフェースを提供するために構成設定される。
【００２４】
異なる実施例では、本発明は、ＶＵＮＩサービス・インタフェースもしくはヘアピン・スイッチング・サービス・インタフェースを提供するプロバイダ・エッジ・ブリッジに関するものである。プロバイダ・エッジ・ブリッジは、ＣＥＰと複数ＰＥＰとを有するＣ−ＶＬＡＮコンポーネントと、Ｃ−ＶＬＡＮコンポーネント、ＭＥＮ、そしてＥ−ＮＮＩへと接続された単一のＳ−ＶＬＡＮコンポーネントとを備える。そのプロバイダ・エッジ・ブリッジは、Ｓ−ＶＬＡＮマッピング・コンポーネントを利用することなく、ＶＵＮＩサービス・インタフェースもしくはヘアピン・スイッチング・サービス・インタフェースを提供するよう構成設定される。
【００２５】
本発明は、Ｓ−ＶＬＡＮマッピング・コンポーネントを必要としないので、既存のリモート・カスタマ・サービス・インタフェースの解決策に関する課題を解決している。本発明は新たな機能を支援するための新たなハードウェアを追加せず、標準化されたＣ−ＶＬＡＮとＳ−ＶＬＡＮコンポーネントとそのポートを新たな方法で構成設定することにより既存のプロバイダ・エッジ・ブリッジに実装することができる。
【図面の簡単な説明】
【００２６】
【図１】ＭＥＮとカスタマ装置（ＣＥ）と間のユーザ・ネットワーク・インタフェース（ＵＮＩ）を例示するＭＥＮの単純化されたブロック図である。
【図２】外部ネットワーク・ネットワークインタフェース（Ｅ−ＮＮＩ）によって接続された２つの事業者ＭＥＮの単純化されたブロック図である。
【図３】サービスプロバイダがカスタマへマルチポイントＥＶＣを提供している、２つの事業者ＭＥＮの単純化されたブロック図である。
【図４】サービスプロバイダが別の運用事業者のＭＥＮに位置するカスタマへサービスを提供している２つの事業者ＭＥＮの単純化されたブロック図である。
【図５】Ｅ−ＮＮＩのＭＥＮ  Ａ側の仮想ＵＮＩ（ＶＵＮＩ）がサービス多重化と他のＵＮＩ機能を実行している２つの事業者ＭＥＮの単純化されたブロック図である。
【図６】プロバイダ・エッジ・ブリッジ・モデルの単純化されたブロック図である。
【図７】プロバイダ・ブリッジ・ネットワークにおける“ヘアピン・スイッチング”と“ＶＵＮＩ”の問題を扱う提案されたプロバイダ・エッジ・ブリッジ・モデルの単純化されたブロック図である。
【図８】２つのプロバイダ・ネットワーク・ポート（ＰＮＰ）の間に実装されたＥＮＮＩの単純化されたブロック図である。
【図９】本発明のプロバイダ・エッジ・ブリッジの第１の代表的な実施例の単純化されたブロック図である。
【図１０】図９のプロバイダ・エッジ・ブリッジを利用した仮想Ｃタグ付き（ＶＵＮＩ）サービスインタフェースを提供する方法の工程を示すフローチャートである。
【図１１】図９のプロバイダ・エッジ・ブリッジを利用したヘアピン・スイッチング・サービス・インタフェースを提供する方法の工程を示すフローチャートである。
【図１２】本発明のプロバイダ・エッジ・ブリッジの第２の代表的な実施例の単純化されたブロック図である。
【図１３】図１２のプロバイダ・エッジ・ブリッジを利用したＶＵＮＩサービス・インタフェースの提供する方法の工程を示すフローチャートである。
【図１４】図１２のプロバイダ・エッジ・ブリッジを利用したヘアピン・スイッチング・サービス・インタフェースの提供する方法の工程を示すフローチャートである。
【発明を実施するための形態】
【００２７】
図８は２つのプロバイダ・エッジ・ブリッジ８３ａと８３ｂの２つのＰＮＰ８２ａと８２ｂとの間に実装された既存のＥ−ＮＮＩ８１の単純化されたブロック図である。８０２．１ａｄでは、Ｅ−ＮＮＩは、Ｓタグ付き・サービス・インタフェースを提供するＳ−ＶＬＡＮコンポーネントに位置するＰＮＰによって提供される。これはＶＵＮＩもしくはヘアピン・スイッチングに必要なタイプのインタフェースを提供できない。
【００２８】
本発明の第１の実施例では、既存のＶＬＡＮコンポーネントが前記機能を提供するために利用される。Ｓ−ＶＬＡＮマッピング・コンポーネントを使用する代わりに、本発明はヘアピン・スイッチング及びＶＵＮＩを提供するために、Ｓ−ＶＬＡＮコンポーネントをＥ−ＮＮＩにおけるプロバイダ・エッジ・ブリッジに追加する。Ｒ−ＣＳＩを新たなブリッジ・コンポーネントとして導入する必要はない。
【００２９】
図９は本発明のプロバイダ・エッジ・ブリッジ９１の第１の代表的な実施例の単純化されたブロック図である。プロバイダ・エッジ・ブリッジは左側でＭＥＮ９２に、右側でＥ−ＮＮＩ９３に接続していることが示されている。そのプロバイダ・エッジ・ブリッジは、Ｃ−ＶＬＡＮコンポーネント９４と２つのＳ−ＶＬＡＮコンポーネントとを含む。左はＳ−ＶＬＡＮコンポーネント９５、右はＳ−ＶＬＡＮコンポーネント９６である。
【００３０】
本発明は新たなＳ−ＶＬＡＮマッピング・コンポーネント７２を追加することなく、図７のプロバイダ・エッジ・ブリッジ・モデル７１に類似の機能を提供する。一般的に、カスタマ・サービス・インタフェースは、直接サービスに接続しているカスタマに対する具体的なサービスへのアクセスを可能にする外部ポートと関連付けられるべきである。Ｒ−ＣＳＩの場合、実際には“カスタマ”であるが、ＭＥＮに位置するエンティティと、ＭＥＮからのトラフィックとが、着信カスタマ・トラフィックとして扱われる。それに応じて、本発明の実施例のカスタマ・サービス・インタフェースは、ＭＥＮ９２に面したポートに関連する（“Ｅ−ＮＮＩ”ＰＮＰではない）。本発明では、（Ｓ−（Ｃ）−Ｓコンポーネントの組み合わせによって構築される）ＭＥＮに面しているＳ−ＶＬＡＮポートによって提供される機能は、Ｓ−ＶＬＡＮコンポーネントそのままによって構築されたシステムのポート（ＰＮＰ）により提供される機能とは異なる。それゆえ、ＭＥＮに面しているＳ−ＶＬＡＮポートはここでは“リモート・カスタマ・ポート（ＲＣＰ）”９７として識別する。これにより、管理目的のためのポートの容易な識別が可能となる。
【００３１】
原理的に、ＲＣＰ９７は、２つの異なるタイプのＲ−ＣＳＩ、即ち、（１）仮想Ｃタグ付き（ＶＵＮＩ）サービス・インタフェースと、（２）ヘアピン・スイッチング・サービス・インタフェースと着信フレームのＳ−ＶＩＤに基くＳタグ付き・サービス・インタフェースとを提供する。
【００３２】
内部ポートに関連する機能は、“仮想ブリッジローカルエリアネットワーク，修正４：プロバイダブリッジ２００５（Virtual Bridged Local Area Networks, Amendement 4 : Provider Bridges 2005）”の１５．３章と１５．４章におけるポートの同じセットの説明と同じであり、以下のように要約される。
【００３３】
ＣＮＰ９８、１０１、１０６、１０７は単一のサービス・インスタンス（Ｓ−ＶＩＤ）へのアクセスを提供し、タグ付けされていないフレームのみの受信を許可し、サポートされたサービス・インスタンスと同じ値のＰＶＩＤを持つ。
【００３４】
ＰＥＰ９９は、特定のプロバイダ・サービス・インスタンスと関連するカスタマ・サービス・インスタンス（Ｃ−ＶＩＤ）のみへのアクセスを提供する。
【００３５】
ＣＥＰ１００は、同じＣ−ＶＬＡＮコンポーネント９４の各ＰＥＰがアクセスを提供しているすべてのカスタマ・サービス・インスタンスへのアクセスを提供する。
【００３６】
ＰＮＰ１０２は、複数のカスタマへのフレームを送受信する。
【００３７】
プロバイダ・エッジ・ブリッジ９１の一般的な構成設定は以下のように実現される。
【００３８】
１．これらのポートがＶＵＮＩもしくはヘアピン・スイッチング・サービス・インタフェースをＥ−ＮＮＩ９３の他方の側からカスタマに提供するためにＭＥＮ９２の内部サービスに接続している場合に、管理のために、ＭＥＮに面しているポートをＲＣＰ９７として指定する。
【００３９】
２．ＲＣＰ９７において次の管理動作を可能にする。即ち、
２．１．  Ｒ−ＣＳＩタイプのテーブルの構成設定。これにより、着信フレームのＳ−ＶＩＤに基くＲ−ＣＳＩタイプの識別を可能にする複数のＲ−ＣＳＩタイプへ複数のＳ−ＶＩＤの割り当てを提供する。３つのＲ−ＣＳＩ型、即ち、（１）仮想Ｃタグ付き（ＶＵＮＩ）Ｒ−ＣＳＩサービス・インタフェース、（２）ヘアピン・スイッチングＲ−ＣＳＩサービス・インタフェース、（３）Ｓタグ付き・サービス・インタフェースが可能である。Ｒ−ＣＳＩタイプのテーブルの例を以下に示す。
【００４０】
【表１】
2013511191.tif 000003
【００４１】
２．２．  ＶＵＮＩサービス・インタフェースの場合におけるＳ−ＶＩＤマージングテーブルの構成設定。この場合、ＭＥＮ９２内部の多数のＳ−ＶＬＡＮサービスにより転送される全てのＣ−ＶＬＡＮサービスがＥ−ＮＮＩ９３内のトンネルされた同じＳ−ＶＬＡＮサービスへとマージされる。代表的なＳ−ＶＩＤマージングテーブルの例を以下に示す。
【００４２】
【表２】
2013511191.tif 000004
【００４３】
２．３．  ヘアピン・スイッチング・サービス・インタフェースの場合におけるＳ−ＶＩＤヘアピン・スイッチング・テーブルの構成設定。この場合、ＭＥＮ９２内部のＳ−ＶＬＡＮサービスがＥ−ＮＮＩ９３における多数のＳ−ＶＬＡＮサービスに分割される。Ｓ−ＶＩＤヘアピン・スイッチング・テーブルの例を以下に示す。
【００４４】
【表３】
2013511191.tif 000005
【００４５】
３．  標準的な方法でのＣ−ＶＬＡＮコンポーネント９４における複数のＣＮＰ、複数のＰＥＰ、及び複数のＰＮＰと、Ｓ−ＶＬＡＮコンポーネント９５、９６の構成設定。
【００４６】
なお、図９に見ることができるように、Ｓタグ付き・サービス・インタフェースを提供するＲＣＰに対して特別な構成設定は必要としない。Ｓ−ＶＬＡＮタグ・フレームを転送する複数のＳ−ＶＬＡＮをサポートすることができる。
【００４７】
メモリ１０４に格納されているコンピュータプログラム命令を実行するプロセッサもしくはマイクロプロセッサ１０３によって、プロバイダ・エッジ・ブリッジ９１の動作は制御されてよい。メモリもしくは異なるメモリが、Ｒ−ＣＳＩタイプテーブルとＳ−ＶＩＤマージング・テーブルとＳ−ＶＩＤヘアピン・スイッチング・テーブルとの内、少なくともいずれかを格納するためにも用いられてよい。これらのテーブルは、例えば、プロバイダ・エッジ・ブリッジへ接続されているネットワーク管理システム（ＭＮＳ）（不図示）を通してシステム運用者によって設定されてもよい。プロバイダ・エッジ・ブリッジ９１の動作について、図１０と図１１を参照して説明する。
【００４８】
図１０は図９のプロバイダ・エッジ・ブリッジ９１を利用した仮想Ｃタグ付き（ＶＵＮＩ）サービス・インタフェースを提供する方法のステップを示したフローチャートである。ステップ１１１では、Ｅ−ＮＮＩ９３の他方の側からカスタマへＶＵＮＩサービス・インタフェースを提供するためのＭＥＮの内部サービスにＭＥＮ９２に面した左側のＳ−ＶＬＡＮコンポーネント９５の複数のポートが接続している場合、これらのポートは管理のために複数のＲＣＰとして指定される。ステップ１１２では、複数のＳ−ＶＩＤからなるセットがＲ−ＣＳＩタイプの仮想Ｃタグ付き（ＶＵＮＩ）サービス・インタフェースとして扱われるように構成設定するために複数のＲＣＰでの管理動作を可能にする。ステップ１１３では、Ｓ−ＶＩＤマージング・テーブル、即ち、Ｅ−ＮＮＩにおけるトンネルされた同じＳ−ＶＬＡＮサービスへとマージされる、ＭＥＮからの複数のＳ−ＶＩＤからなるセットを構成設定するために複数のＲＣＰでの管理動作を可能にする。ステップ１１４では、左側のＳ−ＶＬＡＮコンポーネント９５の異なるＣＮＰが（ステップ１１２において構成設定された）各構成設定されたＳ−ＶＩＤに割り当てられる。
【００４９】
ステップ１１５では、（ステップ１１３において構成設定された）Ｓ−ＶＩＤマージング・テーブルに従い、左側のＳ−ＶＬＡＮコンポーネント９５の複数のＣＮＰが、一対一で１つのＣ−ＶＬＡＮコンポーネントに常駐する複数のＰＥＰからなるセットへと構成設定される。例えば、図９において、左側のＳ−ＶＬＡＮコンポーネント９５の２つのＣＮＰ９８は、Ｃ−ＶＬＡＮコンポーネント９４の２つのＰＥＰ９９へと接続される。ステップ１１６では、Ｃ−ＶＬＡＮコンポーネント９４のＣＥＰ１００は右側のＳ−ＶＬＡＮコンポーネント９６のＣＮＰ１０１へ接続するように構成設定される。最後にステップ１１７では、右側のＳ−ＶＬＡＮコンポーネント９６のＥ−ＮＮＩ９３に面しているＰＮＰ１０５は、トンネル・サービスのための同じＳ−ＶＩＤで構成設定される。
【００５０】
図１１は図９のプロバイダ・エッジ・ブリッジ９１を用いたヘアピン・スイッチング・サービス・インタフェースを提供する方法のステップを示したフローチャートである。ステップ１２１では、ＭＥＮ９２に面している左側のＳ−ＶＬＡＮコンポーネント９５の複数のポートは、他方のＥ−ＮＮＩ９３からカスタマへヘアピン・スイッチング・サービス・インタフェースを提供するためにＭＥＮにおける内部サービスにこれらのポートが接続している場合に、管理のために複数のＲＣＰとして指定される。ステップ１２２では、Ｒ−ＣＳＩタイプのヘアピン・スイッチングＲ−ＳＣＩサービス・インタフェースとして複数のＳ−ＶＩＤからなるセットが扱われるように構成設定するための複数のＲＣＰでの管理動作を可能にする。ステップ１２３では、Ｓ−ＶＩＤヘアピン・スイッチング・テーブルを構成設定するように複数のＲＣＰでの管理動作を可能にする。即ち、ＭＥＮ９２内部のＳ−ＶＩＤがＥ−ＮＮＩ９３における複数Ｓ−ＶＬＡＮサービスへと分割される。ステップ１２４では、左側のＳ−ＶＬＡＮコンポーネントでの異なるＣＮＰが（ステップ１２２において構成設定された）各構成設定されたＳ−ＶＩＤに割り当てられる。
【００５１】
ステップ１２５では、（ステップ１２３において構成設定された）Ｓ−ＶＩＤヘアピン・スイッチング・テーブルに従って左側のＳ−ＶＬＡＮコンポーネント９５の複数のＣＮＰが同じＶＩＤで構成設定される。例えば、図９において、２つのＣＮＰ１０６がＶＩＤ  ６として構成設定される。ステップ１２６では、左側のＳ−ＶＬＡＮコンポーネント９５の複数のＣＮＰが右側のＳ−ＶＬＡＮコンポーネント９６の複数のＣＮＰと接続するように構成設定される。例えば、図９において、左側のＳ−ＶＬＡＮコンポーネントのＶＩＤ  ６を持つ２つのＣＮＰ１０６が右側のＳ−ＶＬＡＮコンポーネントのＶＩＤ  ２及び３を持つ複数のＣＮＰ１０７と接続される。最後に、ステップ１２７では、ヘアピン・スイッチング・テーブルに従って、ＭＥＮ９２内部のＳ−ＶＩＤを分割するために、右側のＳ−ＶＬＡＮコンポーネントの複数のＣＮＰ１０７とＰＮＰ１０２が異なるＳ−ＶＩＤを持つように構成設定される。
【００５２】
図１２は本発明のプロバイダ・エッジ・ブリッジ１３１の第２の典型的な実施例の単純化されたブロック図である。そのプロバイダ・エッジ・ブリッジは、ＭＥＮ９２とＥ−ＮＮＩ９３とに接続されていることが示されている。そのプロバイダ・エッジ・ブリッジは、図９のＣ−ＶＬＡＮコンポーネントと類似のＣ−ＶＬＡＮコンポーネント９４を備える。しかしながら、この実施例では、図９の２つのＳ−ＶＬＡＮコンポーネント９５、９６が単一のＳ−ＶＬＡＮコンポーネント１３２へとマージされている。プロバイダ・エッジ・ブリッジのこの構成設定は、本質的には図９と同じ機能を提供する。これは既存のプロバイダ・エッジ・ブリッジ・モデルと完全に一致しており、これは、市販のプロバイダ・エッジ・ブリッジが追加のコンポーネントを追加することなくヘアピン・スイッチングとＶＵＮＩを提供するために修正／構成設定されることを意味する。
【００５３】
メモリ１０４に保存されるコンピュータプログラム命令を実行するプロセッサもしくはマイクロプロセッサ１０３によってプロバイダ・エッジ・ブリッジ１３１の動作が制御されてよい。メモリもしくは異なるメモリはまた、Ｒ−ＣＳＩタイプテーブルとＳ−ＶＩＤマージング・テーブルとＳ−ＶＩＤヘアピン・スイッチング・テーブルとのうち少なくともいずれかを格納するために用いられてよい。例えば、これらのテーブルは、プロバイダ・エッジ・ブリッジへ接続されるＮＭＳ（不図示）を通してシステム運用者によって構成設定されてもよい。プロバイダ・エッジ・ブリッジ１３１の動作について図１３と図１４を参照して説明する。
【００５４】
図１３は図１２のプロバイダ・エッジ・ブリッジ１３１を用いたＶＵＮＩサービス・インタフェースを提供する方法のステップを示したフローチャートである。ステップ１４１では、Ｅ−ＮＮＩ９３の他方の側からカスタマへＶＵＮＩサービス・インタフェースを提供するために、ＭＥＮ９２に面している単一のＳ−ＶＬＡＮコンポーネント１３２の複数のポートがＭＥＮ９２の内部サービスに接続している場合、これらのポートが管理のために複数のＲＣＰとして指定される。ステップ１４２では、複数のＳ−ＶＩＤからなるセットがＲ−ＣＳＩタイプの仮想Ｃタグ付き（ＶＵＮＩ）サービス・インタフェースとして扱われるように構成設定するために、複数のＲＣＰでの管理動作を可能にする。ステップ１４３では、Ｓ−ＶＩＤマージング・テーブル、即ち、Ｅ−ＮＮＩにおいてトンネルされた同じＳ−ＶＬＡＮサービスへとマージされるＭＥＮからの複数のＳ−ＶＩＤからなるセットを構成設定するために、複数のＲＣＰでの管理動作を可能にする。ステップ１４４では、Ｓ−ＶＬＡＮコンポーネント１３２の異なるＣＮＰが、（ステップ１４２において構成設定された）各構成設定されたＳ−ＶＩＤに割り当てられる。
【００５５】
ステップ１４５では、（ステップ１４３において構成設定された）Ｓ−ＶＩＤマージング・テーブルに従い、単一のＳ−ＶＬＡＮコンポーネント１３２の複数のＣＮＰが一対一で１つのＣ−ＶＬＡＮコンポーネントに常駐している複数のＰＥＰからなるセットへ構成設定される。例えば、図１２において、Ｓ−ＶＬＡＮコンポーネント１３２の２つのＣＮＰ９８は、Ｃ−ＶＬＡＮコンポーネント９４の２つのＰＥＰ９９へ接続される。ステップ１４６では、Ｃ−ＶＬＡＮコンポーネント９４のＣＥＰ１００がＳ−ＶＬＡＮコンポーネント１３２のＣＮＰ１０１へ接続するように構成設定される。最後に、ステップ１４７では、Ｓ−ＶＬＡＮコンポーネントのＥ−ＮＮＩ９３に面しているＰＮＰ１０５がトンネルサービスのために同じＳ−ＶＩＤで構成設定される。
【００５６】
図１４は図１２のプロバイダ・エッジ・ブリッジを利用したヘアピン・スイッチング・サービス・インタフェースを提供する方法のステップを示したフローチャートである。ステップ１５１では、Ｅ−ＮＮＩ９３の他方の側からカスタマへヘアピン・スイッチング・サービス・インタフェースを提供するためにＭＥＮの内部サービスへＭＥＮ９２に面している単一のＳ−ＶＬＡＮコンポーネント１３２の複数のポートが接続している場合、これらのポートが管理のために複数のＲＣＰとして指定される。ステップ１５２では、複数のＳ−ＶＩＤからなるセットがＲ−ＣＳＩタイプのヘアピン・スイッチングＲ−ＣＳＩサービス・インタフェースとして扱われるよう構成設定するための複数のＲＣＰでの管理動作を可能にする。ステップ１５３では、Ｓ−ＶＩＤヘアピン・スイッチング・テーブルを構成設定するための複数のＲＣＰでの管理動作を可能にする。即ち、ＭＥＮ９２内部のＳ−ＶＩＤがＥ−ＮＮＩ９３の複数Ｓ−ＶＬＡＮコンポーネントへ分割される。ステップ１５４では、左側のＳ−ＶＬＡＮコンポーネントの異なるＣＮＰが（ステップ１５２において構成設定された）各構成設定されたＳ−ＶＩＤに割り当てられる。
【００５７】
ステップ１５５では、（ステップ１５３において構成設定された）Ｓ−ＶＩＤヘアピン・スイッチング・テーブルに従い、単一のＳ−ＶＬＡＮコンポーネント１３２の複数のＣＮＰが同じＶＩＤで構成設定される。例えば、図１２において、２つのＣＮＰ１０６はＶＩＤ  ６として構成設定される。ステップ１５６では、Ｓ−ＶＬＡＮコンポーネントのこれらのＣＮＰはそのＳ−ＶＬＡＮコンポーネントの他のＣＮＰと接続するように構成設定される。例えば、図１２において、ＶＩＤ  ６をもつ２つのＣＮＰ１０６は同じＳ−ＶＬＡＮコンポーネントのＶＩＤ  ２と３をもつＣＮＰ１０７に接続される。最後に、ステップ１５７では、ヘアピン・スイッチング・テーブルに従い、ＭＥＮ９２内部のＳ−ＶＩＤを分割するために、ＶＩＤ２と３を持つＣＮＰ１０７とＥ−ＮＮＩ９３に面するＰＮＰ１０５が異なるＳ−ＶＩＤを持つように構成設定される。
【００５８】
なお、図９において、ＭＥＮからのＳ−ＶＩＤとＥ−ＮＮＩへのＳ−ＶＩＤは独立であり、そのためＳ−ＶＩＤが同じであることができる。しかしながら、図１２において、単一のＳ−ＶＬＡＮコンポーネントしかないため、異なるポートにおける全てのＳ−ＶＩＤは異なっていなければならない。Ｓ−ＶＩＤは再利用できない。
【００５９】
また、プロトコルはループがあるように動作し、複数のポートの１つを塞ぐため、Ｒ−ＣＳＩヘアピン・スイッチングを提供するためにリアル・タイム・ストリーミング・プロトコル（ＲＴＳＰ）を用いることはできない。しかしながら、その代わりに、マルチプル・スパニング・ツリー・プロトコル（ＭＳＴＰ）が用いられてもよい。出力されるサービスへ割り当てられたＶＩＤは、到来するサービスへ割り当てられたＶＩＤと異なるマルチプル・スパニング・ツリー・インスタンス（ＭＳＴＩ）に属していなければならない。出力されるサービスはＥ−ＮＮＩに面するＰＮＰへ向かうサービスであり、入力されるサービスはＲＣＰへ向かうサービスである。
【００６０】
もちろん、本発明は発明の本質的な性質を逸脱することなく、ここで説明した方法以外の具体的な方法で実行されてもよい。それ故に、本実施例は全ての面において例示的であると考えられ、本発明を制限するものと考えるべきではない。そして、添付した請求の範囲の意味とその同等の範囲内にあるものは、その請求の範囲に含まれることが意図されている。
【図１】
2013511191.tif 000006
【図２】
2013511191.tif 000007
【図３】
2013511191.tif 000008
【図４】
2013511191.tif 000009
【図５】
2013511191.tif 000010
【図６】
2013511191.tif 000011
【図７】
2013511191.tif 000012
【図８】
2013511191.tif 000013
【図９】
2013511191.tif 000014
【図１０】
2013511191.tif 000015
【図１１】
2013511191.tif 000016
【図１２】
2013511191.tif 000017
【図１３】
2013511191.tif 000018
【図１４】
2013511191.tif 000019
【国際調査報告】
2013511191.tif 000020
2013511191.tif 000021